(57)【要約】【課題】建物の１階の配管工事であっても、床下から延びる送水管と、止水栓を有する給水管とを短時間でかつ簡単に取り付けることができ、床上配管による器具取り付けや器具交換時に、床下配管部分に無理な負担を掛けないように工事を行うことができ、しかも給水管を床面に対して垂直に、簡単に取り付け得る床固定型水栓ソケットを提供すること。【解決手段】床上に設置し，固定するためのフランジ２上に、筒状のソケット本体３を垂直にかつ一体に設け、このソケット本体３の内部における下半部に、床下を通って床上に突出された送水管１４の上端部１４′を嵌合させ，接着して結合するための第１のソケット孔７を形成し、前記ソケット本体３の内部における上半部には、前記第１のソケット孔７に連通しかつ止水栓１６を有する給水管１５の下端部１５′をねじ込んで取り付けるための第２のソケット孔８を形成して構成した。【選択図】      図７
2005016008.tif 000002
【特許請求の範囲】
【請求項１】
床上に設置し，固定するためのフランジ（２）上に、筒状のソケット本体（３）を垂直にかつ一体に設け、
このソケット本体（３）の内部における下半部に、床下を通って床上に突出された送水管（１４）の上端部（１４′）を嵌合させ，接着して結合するための第１のソケット孔（７）を形成し、前記ソケット本体（３）の内部における上半部には、前記第１のソケット孔（７）に連通しかつ止水栓（１６）を有する給水管（１５）の下端部（１５′）をねじ込んで取り付けるための第２のソケット孔（８）を形成した、
ことを特徴とする床固定型水栓ソケット。
【請求項２】
前記第１のソケット孔（７）を、上部に向かって直径を漸減するテーパ孔（１１）とした、
ことを特徴とする請求項１記載の床固定型水栓ソケット。
【請求項３】
床下に配管された送水管（１４）の一部を床上に突出させ、この突出された部分を床固定型水栓ソケット（１）のソケット本体（３）の内部における下半部に形成された第１のソケット孔（７）内に納まる長さに切断し、
前記送水管（１４）における床板（１２）上に突出された部分に、請求項１または２記載の床固定型水栓ソケット（１）の第１のソケット孔（７）を嵌合させ、接着して結合するとともに、前記床固定型水栓ソケット（１）のフランジ（２）を床板（１２）上に設置して固定し、
ついで前記床固定型水栓ソケット（１）のソケット本体（３）の内部の上半部に形成された第２のソケット孔（８）に、止水栓（１６）を有する給水管（１５）の下端部をねじ込んで接続する、
ことを特徴とする床固定型水栓ソケットを用いた配管方法。
【発明の詳細な説明】
【０００１】
【発明の属する技術分野】
本発明は、建物の床下に配管された送水管と、止水栓を有する給水管とを接続するための床固定型水栓ソケットと、これを用いた配管方法に関する。
【０００２】
【従来の技術】
図９は従来技術としての座付水栓ソケットの平面図、図１０は同縦断正面図、図１１は同底面図、図１２はこの座付水栓ソケットを用いて行う配管方法の説明図である。
【０００３】
これら図９〜図１２に示す座付水栓ソケット２１は、筒状のソケット本体２２と、これの上部に一体に設けられたフランジ２３とを有するＴ字型に形成されている。
【０００４】
前記ソケット本体２２の内部における下半部には、床下に配管された送水管の上端部を接続するための第１のソケット孔２４が形成され、上半部には止水栓を有する給水管の下端部をねじ嵌合させて接続するための第２のソケット孔２５が形成されている。
【０００５】
また、前記フランジ２３には円周方向に等間隔をおいて、複数のビス通し孔２６が設けられている。
【０００６】
この座付水栓ソケット２１を使用して、床下に配管された送水管１４と、ストレート型止水栓等の止水栓を有する給水管１５とを接続するには、まず送水管１４を床板１２の下方で、座付水栓ソケット２１のソケット本体２２の内部における下半部に形成された第１のソケット孔２４に納まる長さに切断する。
【０００７】
また、床板１２に座付水栓ソケット２１のソケット本体２２用の差し込み孔２７を明ける。
【０００８】
ついで、前記床板１２に明けられた差し込み孔２７に座付水栓ソケット２１のソケット本体２２を差し込みつつ、前記第１のソケット孔２４に送水管１４の上端部を差し込み、かつ接着剤で接着し結合する。
【０００９】
また、座付水栓ソケット２１のフランジ２３に設けられたビス通し孔２６にビス（図示せず）を通し、床板１２にフランジ２３をビス止めし、座付水栓ソケット２１を固定する。
【００１０】
ついで、座付水栓ソケット２１のソケット本体２２の内部における上半部に形成された第２のソケット孔２５に、止水栓（図示せず）を有する給水管１５の下端部をねじ込んで嵌合し、座付水栓ソケット２１を介して送水管１４と給水管１５とを接続する。
【００１１】
なお、この従来技術では座付水栓ソケット２１を介して送水管１４と給水管１５とを接続後、座付水栓ソケット２１の頭部に笠型のカバー２８を被せるようにしている。
【００１２】
次に、図１３は他の従来技術としての横座付水栓ソケットの平面図、図１４は同縦断正面図、図１５は同底面図、図１６はこの横座付水栓ソケットを用いて行う配管方法の説明図である。
【００１３】
これら図１３〜図１６に示す横座付水栓ソケット３１は、筒状のソケット本体３２と、フィン型の横座３３ａ，３３ｂとを有している。
【００１４】
前記ソケット本体３２の内部における下半部には、床下に配管された送水管の上端部を接続するための第１のソケット孔３４が形成され、上半部には止水栓を有する給水管の下端部をねじ込んで接続するための第２のソケット孔３５が形成されている。
【００１５】
前記横座３３ａ，３３ｂは、ソケット本体３２の上端部との間に、スペースＳを有する位置から両側に、フィン型に設けられている。各横座３３ａ，３３ｂには、それぞれ複数のビス通し孔３６が設けられている。前記スペースＳは、床の厚さに合わせて、根太で上下方向の位置を調整するために設けられている。
【００１６】
この横座付水栓ソケット３１を用いて、床下に配管された送水管１４と、止水栓を有する給水管１５とを接続するには、送水管１４を根太１９の近傍で、横座付水栓ソケット３１のソケット本体３２の内部における下半部に形成された第１のソケット孔３４に納まる長さに切断する。
【００１７】
ついで、前記第１のソケット孔３４に送水管１４の上端部を差し込み、床板１２の厚さに合わせて根太１９に横座３３ａ，３３ｂを当て、第１のソケット孔３４に送水管１４の上端部を接着剤で接着するとともに、各横座３３ａ，３３ｂに設けられた各ビス通し孔３６にビス３７を通し、そのビス３７で根太１９に横座３３ａ，３３ｂを止め、根太１９に横座付水栓ソケット３１を固定する。
【００１８】
続いて、横座付水栓ソケット３１のソケット本体３２の内部における上半部に形成された第２のソケット孔３５に、止水栓（図示せず）を有する給水管１５の下端部をねじ込んで嵌合し、横座付水栓ソケット３１を介して送水管１４と給水管１５とを接続する。
【００１９】
【発明が解決しようとする課題】
ところで、前記従来技術では座付水栓ソケット２１および横座付水栓ソケット３１共、送水管１４と座付水栓ソケット２１または横座付水栓ソケット３１の取り付け工事を、床下で行う必要があり、配管工事がやりにくく、多くの手間が掛かるという課題があった。
【００２０】
また、従来技術ではそのいずれも床下で送水管１４に水栓ソケットを取り付け、その水栓ソケットに給水管１５を接続し、この給水管１５に止水栓をはじめとする各種器具を取り付けるようにしているので、床上配管時における器具取り付けや器具交換時に、床下配管部分が見えない。このため、床上配管工事に当たって、床下配管部分に大きな負担を掛けてしまい、この床下配管部分に変形や損傷を与えてしまうことがあった。
【００２１】
また、座付水栓ソケット２１を用いて行う工事では、建物の１階の床張り後は送水管１４と座付水栓ソケット２１の取り付け工事が非常に困難であり、１階の配管工事には不向きであるという課題もあった。
【００２２】
また、殆どの場合、床下の送水管１４が垂直に配置されていないため、横座付水栓ソケット３１を用いて行う工事では、横座付水栓ソケット３１を床面に対して垂直に立ち上がらせるために多くの時間を要するという課題もあった。
【００２３】
本発明は、上記の事情に鑑みなされたもので、その目的とするところは、建物の１階の配管工事においても、床下から延びる送水管と、止水栓を有する給水管とを短時間でかつ簡単に接続することができ、さらには床上配管工事による器具取り付けや器具交換に際して、床下配管部分に負担を掛けないで工事を行うことができ、しかも給水管を床面に対して垂直に、簡単に取り付け得る床固定型水栓ソケットを提供することにある。
【００２４】
また、本発明の他の目的は止水栓を有する給水管を床面に対して垂直に、極めて簡単に取り付け得る床固定型水栓ソケットを提供することにある。
【００２５】
さらに、本発明の他の目的は床下から延びる送水管と、止水栓を有する給水管とを短時間でかつ簡単に取り付けることができ、さらには床上配管工事による器具取り付けや器具交換に際して、床下配管部分に負担を掛けないで工事を行うことができ、しかも給水管を床面に対して垂直に、簡単に取り付け得る配管方法を提供することにある。
【００２６】
【課題を解決するための手段】
前記目的を達成するため、本発明床固定型水栓ソケット１では床上に設置し，固定するためのフランジ２上に、筒状のソケット本体３を垂直にかつ一体に設け、このソケット本体３の内部における下半部に、床下を通って床上に突出された送水管１４の上端部１４′を嵌合させ，接着して結合するための第１のソケット孔７を形成し、前記ソケット本体３の内部における上半部には、前記第１のソケット孔７に連通しかつ止水栓１６を有する給水管１５の下端部１５′をねじ込んで取り付けるための第２のソケット孔８を形成している。
【００２７】
また、前記目的を達成するため、本発明床固定型水栓ソケット１では前記第１のソケット孔７を、上部に向かって直径を漸減するテーパ孔１１としている。
【００２８】
さらに、前記目的を達成するため、本発明配管方法では床下に配管された送水管１４の一部を床上に突出させ、この突出された部分を床固定型水栓ソケット１のソケット本体３の内部における下半部に形成された第１のソケット孔７内に納まる長さに切断し、前記送水管１４における床板１２上に突出された部分に、前記床固定型水栓ソケット１の第１のソケット孔７を嵌合させ、接着して結合するとともに、前記床固定型水栓ソケット１のフランジ２を床板１２上に設置して固定し、ついで前記床固定型水栓ソケット１のソケット本体３の内部の上半部に形成された第２のソケット孔８に、止水栓１６を有する給水管１５の下端部をねじ込んで接続するようにしている。
【００２９】
【発明の実施の形態】
以下、本発明の実施例を図面に基づいて説明する。
【００３０】
図１〜図５は本発明床固定型水栓ソケットの一実施例を示すもので、図１は斜視図、図２は平面図、図３は正面図、図４は底面図、図５は図３のＡ−Ａ線断面図である。
【００３１】
これら図１〜図５に示す実施例の床固定型水栓ソケット１は、床上に設置し，固定するためのやや大径に形成されたフランジ２と、このフランジ２上に垂直に設けられた筒状のソケット本体３と、上部のフランジ４と、前記ソケット本体３の外周に設けられた複数のリブ５とを有している。これらの部分は、合成樹脂により一体に成形されている。
【００３２】
前記床上に設置し，固定するためのフランジ２には、円周方向に等間隔をおいて複数のビス通し孔６が設けられている。
【００３３】
前記ソケット本体３の内部における下半部には、第１のソケット孔７が形成され、上半部には前記第１のソケット孔７に連通させて第２のソケット孔８が形成されている。
【００３４】
前記第１のソケット孔７の下端部には、断面ほぼハ字状のテーパ面７′が形成されている。この第１のソケット７には、床下に配管されかつ床上に一部突出された送水管の、その床上に突出された部分を、テーパ面７′を通じて差し込み、接着剤で接着可能な直径に形成されている。
【００３５】
前記第２のソケット孔８には、真鍮等の金属製のスリーブ９が埋め込まれている。このスリーブ９の内部には、止水栓を有する給水管の下端部をねじ込んで接続するための雌ねじ１０が形成されている。
【００３６】
前記リブ５は、ソケット本体３の外周に等間隔をおいて、前記フランジ２，４間にほぼΔ型に形成されている。なお、前記ビス通し孔６は円周方向に隣合うリブ５，５間の中央部に設けられている。
【００３７】
ついで、図６は前記実施例の床固定型水栓ソケットを用いて行う本発明配管方法の一例を示す説明図であって、送水管と給水管とを接続する前の、各部材の配置を示す説明図、図７は前記送水管と給水管とを接続した状態の縦断側面図である。
【００３８】
これら図６，図７および前記図１から図５により本発明配管方法の一例を説明する。
【００３９】
なお、互いに接続すべき送水管１４と給水管１５のうち、送水管１４にはビニル管が用いられ、給水管１５には金属管が用いられる。
【００４０】
まず、床下配管、すなわち床板１２の下方に配置されかつ一部床板１２上に突出されている送水管１４の、前記床板１２上に突出されている部分を、床固定型水栓ソケット１のソケット本体３の内部における下半部に形成された第１のソケット孔７に納まる長さ、つまり第１のソケット孔７より僅かに短い長さに切断する。
【００４１】
ついで、前記送水管１４の上端部１４′、すなわち床板１２上に突出された部分に、前記床固定型水栓ソケット１の第１のソケット孔７を、この第１のソケット孔７の下端部に断面ほぼハ字状に形成されたテーパ面７′を通じて嵌合させ、接着して結合するとともに、前記床固定型水栓ソケット１のフランジ２に設けられた各ビス通し孔６にビス１３を通し、前記フランジ２を床板１２上にビス止めし、床固定型水栓ソケット１を固定する。
【００４２】
なお、前記床固定型水栓ソケット１の第１のソケット孔７と送水管１４の上端部１４′間の接着剤を図７に符号１８で示す。
【００４３】
そして、ストレート型止水栓等の止水栓１６を有する給水管１５に、あらかじめカップ型のカバー１７を上下方向に移動自在に装着し、上昇させて置く。
【００４４】
ついで、前記給水管１５の下端部１５′の雄ねじを、前記床固定型水栓ソケット１のソケット本体３の内部における上半部に形成された第２のソケット孔８の雌ねじ１０にねじ込んで結合する。
【００４５】
以上の工事により、床固定型水栓ソケット１を介して、床下配管の送水管１４と、止水栓１６を有する給水管１５とを接続することができる。
【００４６】
送水管１４と給水管１５とを接続後、前記カバー１７を引き降ろして床固定型水栓ソケット１に被せ、送水管１４と給水管１５を接続するための配管工事を終了する。
【００４７】
以上説明した本発明のこの実施例によれば、フランジ２上に筒状のソケット本体３を垂直にかつ一体に設け、このソケット本体３の内部における下半部に、送水管１４の上端部１４′を結合するための第１のソケット孔７を形成し、上半部には止水栓１６を有する給水管１５の下端部１５′をねじ込んで取り付けるための第２のソケット孔８を形成して床固定型水栓ソケット１を構成し、床下配管の送水管１４の一部を床板１２上に突出させ、かかる床板１２上に突出された部分を、前記第１のソケット孔７内に納まる長さに切断し、この切断された送水管１４の上端部１４′に、前記第１のソケット孔７を嵌合させ，接着して結合するとともに、前記床固定型水栓ソケット１のフランジ２を床板１２上に設置して固定するようにしているので、すべての作業を床張り後に行うことができるため、建物の１階の床下配管の送水管１４と、止水栓１６を有する給水管１５とを接続する配管工事にも、何等支障なく採用することができるし、すべての作業を床上で行うことができるので、配管作業を楽にかつ能率良く遂行することができる外、床上配管による器具取り付けや器具交換時に、送水管１４の上端部１４′と床固定型水栓ソケット１の結合部分を見ながら工事を進めることができるので、床下配管部分に無理な負担を掛けないように工事を行うことができる。
【００４８】
前述のごとく、殆どの場合、床下の送水管１４が垂直に配置されていないので、従来技術では水栓ソケットのソケット本体を垂直に立ち上がらせるためには、多くの時間を要していたが、本発明のこの実施例では床面が水平であれば、床固定型水栓ソケット１のフランジ２を介して、ソケット本体３を必然的に垂直に立ち上がらせることができ、したがってソケット本体３の内部における上半部に形成された第２のソケット孔８に、止水栓１６を有する給水管１５を垂直にかつ簡単に取り付けることができる。
【００４９】
さらに、この実施例では床固定型水栓ソケット１のソケット本体３の内部における第１のソケット孔７の下端部に、断面ほぼハ字状のテーパ面７′を形成しているので、送水管１４における床面上に突出された上端部１４′が傾いていても、前記テーパ面７′で吸収または修正できるため、送水管１４の上端部１４′に第１のソケット孔７をスムーズに嵌合し、床面に対してソケット本体３を垂直に、的確に立ち上がらせることができる。
【００５０】
なお、この実施例において、床固定型水栓ソケット１のフランジ２をビス止めで固定する場合に限らず、床面に接着により固定しても良い。
【００５１】
次に、図８は本発明床固定型水栓ソケットの他の実施例を示す縦断側面図である。
【００５２】
この図８に示す実施例の床固定型水栓ソケット１は、第１のソケット孔７が上部に向かって直径を漸減するテーパ孔１１に形成されている。
【００５３】
前記テーパ孔１１は、垂直線Ｖに対して、傾斜角度θが例えば１〜２°程度のテーパを付けて形成されている。
【００５４】
これにより、送水管１４の上端部１４′が垂直線に対して傾斜していても、その傾斜をテーパ孔１１で吸収または修正し、フランジ２を介してソケット本体３を垂直に、より一層簡単に立ち上がらせることができるので、このソケット本体３の内部における上半部に形成された第２のソケット孔８に止水栓１６を有する給水管１５を垂直に、極めて簡単に取り付けることができる。
【００５５】
この図８に示す実施例の他の構成，作用および配管方法については、前記図１〜図７に示す実施例と同様である。
【００５６】
【発明の効果】
以上説明したように、本発明床固定型水栓ソケット１では、床上に設置し，固定するためのフランジ２上に、筒状のソケット本体３を垂直にかつ一体に設け、このソケット本体３の内部における下半部に、床下を通って床上に突出された送水管１４の上端部１４′を嵌合させ，接着して結合するための第１のソケット孔７を形成し、前記ソケット本体３の内部における上半部には、前記第１のソケット孔７に連通しかつ止水栓１６を有する給水管１５の下端部１５′をねじ込んで取り付けるための第２のソケット孔８を形成しており、すべての作業を床張り後に行うことができるので、建物の１階の床下配管の送水管１４と、止水栓１６を有する給水管１５とを接続する配管工事にも、何等支障なく採用し得る効果があり、すべての作業を床上で行うことができるので、配管作業を楽にかつ能率良く遂行し得るという効果があり、さらには床上配管による器具取り付けや器具の交換時に、送水管１４の上端部１４′と床固定型水栓ソケット１の結合部分を見ながら工事を進めることができるので、床下配管部分に無理な負担を掛けないように工事を行うことができ、したがって床下配管部分に大きな負担を与えることによる変形や損傷を未然に防ぐことができるという効果を有する外、床面が水平であれば、床固定型水栓ソケット１のフランジ２を介して、ソケット本体３を必然的に垂直に立ち上がらせることができるので、ソケット本体３の内部における上半部に形成された第２のソケット孔８に、止水栓１６を有する給水管１５を垂直にかつ簡単に取り付け得る効果もある。
【００５７】
また、本発明床固定型水栓ソケット１では、前記第１のソケット孔７を、上部に向かって直径を漸減するテーパ孔１１としており、送水管１４の上端部１４′が垂直線に対して傾斜していても、その傾斜をテーパ孔１１で吸収または修正し、フランジ２を介してソケット本体３を垂直に、より一層簡単に立ち上がらせることができるので、このソケット本体３の内部における上半部に形成された第２のソケット孔８に、止水栓１６を有する給水管１５を垂直に、極めて簡単に取り付け得る効果がある。
【００５８】
さらに、本発明配管方法によれば、床下に配管された送水管１４の一部を床上に突出させ、この突出された部分を床固定型水栓ソケット１のソケット本体３の内部における下半部に形成された第１のソケット孔７内に納まる長さに切断し、前記送水管１４における床板１２上に突出された部分に、前記床固定型水栓ソケット１の第１のソケット孔７を嵌合させ、接着して結合するとともに、前記床固定型水栓ソケット１のフランジ２を床板１２上に設置して固定し、ついで前記床固定型水栓ソケット１のソケット本体３の内部の上半部に形成された第２のソケット孔８に、止水栓１６を有する給水管１５の下端部をねじ込んで接続するようにしており、この発明においても、すべての作業を床張り後に行うことができるので、建物の１階の床下配管の送水管１４と、止水栓１６を有する給水管１５とを接続する配管工事にも、何等支障なく採用し得る効果があり、すべての作業を床上で行うことができるので、配管作業を楽にかつ能率良く遂行し得るという効果があり、さらには床上配管による器具取り付けや器具の交換時に、送水管１４の上端部１４′と床固定型水栓ソケット１の結合部分を見ながら工事を進めることができるので、床下配管部分に無理な負担を掛けないように工事を行うことができ、したがって床下配管部分に大きな負担を与えることによる変形や損傷を未然に防ぐことができるという効果を有する外、床面が水平であれば、床固定型水栓ソケット１のフランジ２を介して、ソケット本体３を必然的に垂直に立ち上がらせることができ、したがってソケット本体３の内部における上半部に形成された第２のソケット孔８に、止水栓１６を有する給水管１５を垂直にかつ簡単に取り付け得る効果もある。
【図面の簡単な説明】
【図１】本発明床固定型水栓ソケットの一実施例を示す斜視図である。
【図２】同実施例の平面図である。
【図３】図２の正面図である。
【図４】図３の底面図である。
【図５】図３のＡ−Ａ線断面図である。
【図６】図１〜図５に示す実施例の床固定型水栓ソケットを用いて行う配管方法の説明図である。
【図７】同送水管と給水管とを接続した状態の縦断側面図である。
【図８】本発明床固定型水栓ソケットの他の実施例を示す縦断側面図である。
【図９】従来技術としての座付水栓ソケットの平面図である。
【図１０】図９の縦断正面図である。
【図１１】図１０の底面図である。
【図１２】同座付水栓ソケットを用いて行う配管方法の説明図である。
【図１３】他の従来技術としての横座付水栓ソケットの平面図である。
【図１４】図１３の縦断正面図である。
【図１５】図１４の底面図である。
【図１６】同横座付水栓ソケットを用いて行う配管方法の説明図である。
【符号の説明】
１  床固定型水栓ソケット
２  床上に設置し，固定するためのフランジ
３  ソケット本体
６  ビス通し孔
７  第１のソケット孔
７′  第１のソケット孔の下端部に形成されたテーパ面
８  第２のソケット孔
９  スリーブ
１０  雌ねじ
１１  テーパ孔
１２  床板
１３  ビス
１４  送水管
１４′  送水管の上端部
１５  給水管
１５′  給水管の下端部
１６  止水栓
１７  カバー
１８  接着剤
【図１】
2005016008.tif 000003
【図２】
2005016008.tif 000004
【図３】
2005016008.tif 000005
【図４】
2005016008.tif 000006
【図５】
2005016008.tif 000007
【図６】
2005016008.tif 000008
【図７】
2005016008.tif 000009
【図８】
2005016008.tif 000010
【図９】
2005016008.tif 000011
【図１０】
2005016008.tif 000012
【図１１】
2005016008.tif 000013
【図１２】
2005016008.tif 000014
【図１３】
2005016008.tif 000015
【図１４】
2005016008.tif 000016
【図１５】
2005016008.tif 000017
【図１６】
2005016008.tif 000018